(57)【要約】【課題】通話中の携帯電話機の消費電力を軽減することが可能な電話交換機を提供する。【解決手段】記憶部４２は、携帯電話番号と固定電話番号とを互いに関連づけて記憶する。入出力部４３は携帯電話番号あるいは固定電話番号に着信を要求する旨の呼出要求を受け付ける。制御部４１は、着信を要求された電話番号と関連づけられた電話番号を記憶部４２から取得し、該着信を要求された電話番号と取得された電話番号とを用いて携帯電話機１０および固定電話機２０にアクセスして、携帯電話機１０と固定電話機２０とを接続し、その後、固定電話機２０を介して、携帯電話機１０を送信端末機と接続させる。【選択図】図１
2007096778.tif 000002
【特許請求の範囲】
【請求項１】
携帯電話機と、前記携帯電話機と接続可能な固定電話機と、前記携帯電話機の携帯電話番号または前記固定電話機の固定電話番号への着信を要求する旨の呼出要求を出力する発信端末機と、に接続可能な電話交換機であって、
前記携帯電話番号と前記固定電話番号とを関連づけて記憶する記憶手段と、
前記発信端末機から前記呼出要求を受け付ける入力手段と、
前記入力手段が前記呼出要求を受け付けると、該呼出要求にて着信を要求された電話番号と関連づけられた電話番号を前記記憶手段から取得し、該取得された電話番号と該着信を要求された電話番号とを用いて前記携帯電話機と前記固定電話機にアクセスして該携帯電話機と該固定電話機とを接続させ、その後、該固定電話機を介して、前記携帯電話機と前記発信端末機とを接続する制御手段と、
を含む電話交換機。
【請求項２】
請求項１に記載の電話交換機において、
前記制御手段は、前記入力手段にて受け付けられた呼出要求が携帯電話番号への着信を要求すると、該呼出要求にて着信を要求された携帯電話番号と関連づけられた固定電話番号を前記記憶手段から取得し、該着信を要求された携帯電話番号の携帯電話機を呼び出し、その後、該携帯電話機から応答を受け付けると、該取得された固定電話番号と該着信を要求された携帯電話番号とを用いて前記携帯電話機と前記固定電話機にアクセスして該携帯電話機と該固定電話機とを接続させる、電話交換機。
【請求項３】
請求項２に記載の電話交換機において、
前記制御手段は、前記携帯電話機から応答を受け付けると、前記取得された固定電話番号の固定電話機が使用中であるか否かを判断し、該固定電話機が使用中であると、前記固定電話機を介さずに、前記携帯電話機を前記発信端末機と接続する、電話交換機。
【請求項４】
請求項２または３に記載の電話交換機において、
前記記憶手段は、応答基準時間をさらに記憶し、
前記制御手段は、前記携帯電話機を呼び出してから前記応答基準時間が経過するまでに前記携帯電話機から前記応答を受け付けたか否かを判断し、前記応答基準時間が経過するまでに前記携帯電話機から前記応答を受け付けないと、前記携帯電話機を介さずに、前記固定電話機を前記発信端末機と接続する、電話交換機。
【請求項５】
請求項２ないし４のいずれか１項に記載の電話交換機において、
前記携帯電話機は、無線基地局を介して前記電話交換機と接続可能であり、
前記制御手段は、前記着信を要求された携帯電話番号の携帯電話機が前記無線基地局の通信圏内にあるか否かを判断し、該携帯電話機が前記無線基地局の通信圏外にあると、前記携帯電話機を介さずに、前記固定電話機を前記発信端末機と接続する、電話交換機。
【請求項６】
請求項４に記載の電話交換機において、
前記記憶手段は、互いに関連づけられた携帯電話番号および固定電話番号に、該携帯電話番号から該固定電話番号へ呼出要求の転送を許可するか否かを示す固定転送情報を、さらに関連づけて記憶し、
前記制御手段は、前記応答基準時間が経過するまで前記携帯電話機から前記応答を受け付けないと、前記着信を要求された携帯電話番号と関連づけられて前記記憶手段に記憶された固定転送情報を確認し、前記確認された固定転送情報が転送許可を示すと、前記携帯電話機を介さずに、前記固定電話機を前記発信端末機と接続する、電話交換機。
【請求項７】
請求項５に記載の電話交換機において、
前記記憶手段は、互いに関連づけられた前記携帯電話番号および前記固定電話番号に、該携帯電話番号から該固定電話番号へ呼出要求の転送を許可するか否かを示す固定転送情報を、さらに関連づけて記憶し、
前記制御手段は、前記携帯電話機が前記無線基地局の通信圏外にあると、前記着信を要求する携帯電話番号と関連づけられて前記記憶手段に記憶された固定転送情報を確認し、前記確認された固定転送情報が転送許可を示すと、前記携帯電話機を介さずに、前記固定電話機を前記発信端末機と接続する、電話交換機。
【請求項８】
請求項６に記載の電話交換機において、
前記制御手段は、前記携帯電話機が前記無線基地局の通信圏外にあると、前記着信を要求された携帯電話番号と関連づけられて前記記憶手段に記憶された固定転送情報を確認し、前記確認された固定転送情報が転送許可を示すと、前記携帯電話機を介さずに、前記固定電話機を前記発信端末機と接続する、電話交換機。
【請求項９】
請求項６ないし８のいずれか１項に記載の電話交換機において、
前記制御手段は、前記確認された固定転送情報が転送不許可を示すと、前記発信端末機に、前記携帯電話機が使用できない旨を報知させる、電話交換機。
【請求項１０】
請求項１に記載の電話交換機において、
前記制御手段は、前記入力手段が受け付けた呼出要求が固定電話番号への着信を要求すると、該着信要求にて着信を要求された固定電話番号と関連づけられた携帯電話番号を前記記憶手段から取得し、その後、該着信を要求された固定電話番号の固定電話機が使用中か否かを確認し、該固定電話機が使用中であると、前記固定電話機を介さずに、前記携帯電話機を前記発信端末機と接続する、電話交換機。
【請求項１１】
請求項１０に記載の電話交換機において、
前記記憶手段は、応答基準時間をさらに記憶し、
前記制御手段は、前記携帯電話番号を取得すると、前記着信を要求された固定電話機を呼び出し、その後、前記応答基準時間が経過するまでに前記固定電話機から前記応答を受け付けたか否かを判断し、前記応答基準時間が経過するまでに前記固定電話機から前記応答を受け付けないと、前記固定電話機を介さずに、前記携帯定電話機を前記発信端末機と接続する、電話交換機。
【請求項１２】
請求項１１に記載の電話交換機において、
前記記憶手段は、互いに関連づけられた携帯電話番号および固定電話番号に、該固定電話番号の固定電話機から該携帯電話番号の携帯電話機へ呼出要求の転送を許可するか否かを示す携帯転送情報を、さらに関連づけて記憶し、
前記制御手段は、前記着信を要求された固定電話番号の固定電話機が使用中であると、前記着信を要求された固定電話番号と関連づけられて前記記憶手段に記憶された携帯転送情報を確認し、前記確認された携帯転送情報が転送許可を示すと、前記携帯電話機を介さずに、前記携帯電話機を前記発信端末機と接続する、電話交換機。
【請求項１３】
請求項１１に記載の電話交換機において、
前記記憶手段は、互いに関連づけられた携帯電話番号および固定電話番号に、該固定電話番号の固定電話機から該携帯電話番号の携帯電話機へ呼出要求の転送を許可するか否かを示す携帯転送情報を、さらに関連づけて記憶し、
前記制御手段は、前記応答基準時間が経過するまでに前記固定電話機から前記応答を受け付けないと、前記着信を要求された固定電話番号に関連づけられて前記記憶手段に記憶された携帯転送情報を確認し、前記確認された携帯転送情報が転送許可を示すと、前記固定電話機を介さずに、前記携帯電話機を前記発信端末機と接続する、電話交換機。
【請求項１４】
請求項１２に記載の電話交換機において、
前記制御手段は、前記応答基準時間が経過するまでに前記固定電話機から前記応答を受け付けないと、前記着信を要求された固定電話番号に関連づけられて前記憶手段に記憶された携帯転送情報を確認し、前記確認された携帯転送情報が転送許可を示すと、前記固定電話機を介さずに、前記携帯電話機を前記発信端末機と接続する、電話交換機。
【請求項１５】
請求項１２ないし１４のいずれか１項に記載の電話交換機において、
前記制御手段は、前記確認された携帯転送情報が転送不許可を示すと、前記発信端末機に、前記着信を要求された固定電話番号の固定電話機が使用できない旨を報知させる、電話交換機。
【請求項１６】
請求項１ないし１５のいずれか１項に記載の電話交換機と、前記電話交換機と接続可能な携帯電話機と、前記携帯電話機と無線通信にて接続可能であり前記電話交換機と接続可能な固定電話機と、を含む通信システムであって、
前記携帯電話機は、前記制御手段にてアクセスされると、前記無線通信を用いて接続可能か否かを確認するための確認情報を出力する携帯制御手段、を含み、
前記固定電話機は、
前記携帯制御手段が出力した確認情報を受け付ける無線手段と、
前記無線手段が前記確認情報を受け付けると、前記携帯電話機と前記固定電話機とを前記無線通信にて接続させる固定制御手段と、
を含む通信システム。
【請求項１７】
請求項１６に記載の通信システムにおいて、
前記固定電話機は、圏内基準時間を記憶する固定記憶手段を、さらに含み、
前記固定制御手段は、前記制御手段にて電話交換機とアクセスされてから前記圏内基準時間が経過するまでに前記無線手段が前記確認情報を受け付けたか否かを判断し、
前記制御手段は、前記入力手段が受け付けた呼出要求が携帯電話番号への着信を要求しているときに、前記圏内基準時間が経過するまでに前記無線手段が前記確認情報を受け付けないと、前記固定電話機を介さずに、前記携帯電話機を前記発信端末機と接続する、通信システム。
【請求項１８】
請求項１７に記載の通信システムにおいて、
前記制御手段は、前記入力手段が受け付けた呼出要求が固定電話番号への着信を要求しているときに、前記応答基準時間が経過するまでに前記無線手段が前記確認情報を受け付けないと、前記携帯電話機を介さずに、前記固定電話機を前記発信端末機と接続する、通信システム。
【請求項１９】
携帯電話機の携帯電話番号と固定電話機の固定電話番号とを関連づけて記憶する記憶手段を含み、前記携帯電話機と、前記携帯電話機と接続可能な固定電話機と、前記携帯電話番号または前記固定電話番号への着信を要求する旨の呼出要求を出力する発信端末機と、に接続可能な電話交換機が行なう通信方法であって、
前記発信端末機から前記呼出要求を受け付ける入力ステップと、
前記入力ステップにて前記呼出要求が受け付けられると、該着信を要求された電話番号と関連づけられた電話番号を前記記憶手段から取得する取得ステップと、
前記取得ステップにて取得された電話番号と該着信を要求された電話番号とを用いて前記携帯電話機と前記固定電話機にアクセスして該携帯電話機と該固定電話機とを接続させる携帯固定接続ステップと、
前記固定電話機を介して、前記携帯電話機と前記発信端末機とを接続する接続ステップと、
を含む通信方法。
【請求項２０】
請求項１９に記載の通信方法において、
前記入力ステップにて受け付けられた呼出要求が携帯電話番号への着信を要求すると、該呼出要求にて着信を要求された携帯電話番号と関連づけられた固定電話番号を前記記憶手段から取得する固定取得ステップと、
前記着信を要求された携帯電話番号の携帯電話機を呼び出す携帯呼出ステップと、
前記携帯電話機から応答を受け付けると、前記取得された固定電話番号と前記着信を要求された携帯電話番号とを用いて前記携帯電話機と前記固定電話機にアクセスして該携帯電話機と該固定電話機とを接続させる応答後接続ステップと、
をさらに含む通信方法。
【請求項２１】
請求項２０に記載の通信方法において、
前記携帯電話機から応答を受け付けると、前記取得された固定電話番号の固定電話機が使用中であるか否かを判断する使用判断ステップと、
前記固定電話機が使用中であると、前記固定電話機を介さずに、前記携帯電話機を前記発信端末機に接続する使用固定接続ステップと、
をさらに含む通信方法。
【請求項２２】
請求項２０または２１に記載の通信方法において、
前記記憶手段は、応答基準時間をさらに記憶し、
前記携帯電話機を呼び出してから前記応答基準時間が経過するまでに前記携帯電話機から前記応答を受け付けたか否かを判断する応答時間判断ステップと、
前記応答基準時間が経過するまでに前記携帯電話機から前記応答受け付けないと、前記携帯電話機を介さずに、前記固定電話機を前記発信端末機と接続する未応答固定接続ステップと、
をさらに含む通信方法。
【請求項２３】
請求項２０ないし２２のいずれか１項に記載の通信方法において、
前記携帯電話機は、無線基地局を介して前記電話交換機と接続可能であり、
前記着信を要求された携帯電話番号の携帯電話機が前記無線基地局の通信圏内にあるか否かを判断する圏内判断ステップと、
前記携帯電話機が前記無線基地局の通信圏外にあると、前記携帯電話機を介さずに、前記固定電話機を前記発信端末機と接続する圏外固定接続ステップと、
をさらに含む通信方法。
【請求項２４】
請求項２２記載の通信方法において、
前記記憶手段は、互いに関連づけられた携帯電話番号および固定電話番号に、該携帯電話番号から該固定電話番号へ呼出要求の転送を許可するか否かを示す固定転送情報を、さらに関連づけて記憶し、
前記応答基準時間が経過するまで前記携帯電話機から前記応答を受け付けないと、前記着信を要求された携帯電話番号と関連づけられて前記記憶手段に記憶された固定転送情報を確認する未応答転送確認ステップと、
前記未応答転送確認ステップにて確認された固定転送情報が転送許可を示すと、前記携帯電話機を介さずに、前記固定電話機を前記発信端末機と接続する未応答確認固定接続ステップと、
をさらに含む通信方法。
【請求項２５】
請求項２３に記載の通信方法において、
前記記憶手段は、互いに関連づけられた前記携帯電話番号および前記固定電話番号に、該携帯電話番号から該固定電話番号へ呼出要求の転送を許可するか否かを示す固定転送情報を、さらに関連づけて記憶し、
前記携帯電話機が前記無線基地局の通信圏外にあると、前記着信を要求する携帯電話番号と関連づけられて前記記憶手段に記憶された固定転送情報を確認する圏外転送確認ステップと、
前記圏外転送確認ステップにて確認された固定転送情報が転送許可を示すと、前記携帯電話機を介さずに、前記固定電話機を前記発信端末機と接続する圏外確認固定接続ステップと、
をさらに含む通信方法。
【請求項２６】
請求項２４に記載の通信方法において、
前記携帯電話機が前記無線基地局の通信圏外にあると、前記着信を要求された携帯電話番号と関連づけられて前記記憶手段に記憶された固定転送情報を確認する確認ステップと、
前記確認された固定転送情報が転送許可を示すと、前記携帯電話機を介さずに、前記固定電話機を前記発信端末機と接続する許可固定接続ステップと、
をさらに含む通信方法。
【請求項２７】
請求項２４ないし２６のいずれか１項に記載の通信方法において、
前記確認された固定転送情報が転送不許可を示すと、前記発信端末機に、前記着信を要求された携帯電話番号の携帯電話機が使用できない旨を報知させる報知ステップ、をさらに含む通信方法。
【請求項２８】
請求項１９に記載の通信方法において、
前記入力ステップにて受け付けられた呼出要求が固定電話番号への着信を要求すると、該着信要求にて着信を要求された固定電話番号と関連づけられた携帯電話番号を前記記憶手段から取得する携帯取得ステップと、
前記着信を要求された固定電話番号の固定電話機が使用中か否かを確認する使用中確認ステップと、
前記固定電話機が使用中であると、前記固定電話機を介さずに、前記携帯電話機を前記発信端末機と接続する使用携帯接続ステップと、
をさらに含む通信方法。
【請求項２９】
請求項２８に記載の通信方法において、
前記記憶手段は、応答基準時間をさらに記憶し、
前記携帯電話番号を取得すると、前記着信を要求された固定電話機を呼び出す固定呼出ステップと、
前記応答基準時間が経過するまでに前記固定電話機から前記応答を受け付けたか否かを判断する応答判断ステップと、
前記応答基準時間が経過するまでに前記固定電話機から前記応答を受け付けないと、前記固定電話機を介さずに、前記携帯定電話機を前記発信端末機と接続する非応答携帯接続ステップと、
をさらに含む通信方法。
【請求項３０】
請求項２９に記載の通信方法において、
前記記憶手段は、互いに関連づけられた携帯電話番号および固定電話番号に、該固定電話番号の固定電話機から該携帯電話番号の携帯電話機へ呼出要求の転送を許可するか否かを示す携帯転送情報を、さらに関連づけて記憶し、
前記着信を要求された固定電話番号の固定電話機が使用中であると、前記着信を要求された固定電話番号と前記記憶手段にて関連づけられて記憶された携帯転送情報を確認する使用中転送確認ステップと、
前記使用中転送確認ステップにて確認された携帯転送情報が転送許可を示すと、前記携帯電話機を介さずに、前記携帯電話機を前記発信端末機と接続する使用中確認接続ステップと、
を含む通信方法。
【請求項３１】
請求項２９に記載の通信方法において、
前記記憶手段は、互いに関連づけられた携帯電話番号および固定電話番号に、該固定電話番号の固定電話機から該携帯電話番号の携帯電話機へ呼出要求の転送を許可するか否かを示す携帯転送情報を、さらに関連づけて記憶し、
前記応答基準時間が経過するまでに前記固定電話機から前記応答を受け付けないと、前記着信を要求された固定電話番号と前記記憶手段にて関連づけられて記憶された携帯転送情報を確認する非応答確認ステップと、
前記非応答確認ステップにて確認された携帯転送情報が転送許可を示すと、前記固定電話機を介さずに、前記携帯電話機を前記発信端末機と接続する非応答確認接続ステップと、
をさらに含む通信方法。
【請求項３２】
請求項３０に記載の通信方法において、
前記応答基準時間が経過するまでに前記固定電話機から前記応答を受け付けないと、前記着信を要求された固定電話番号と前記記憶手段にて関連づけられて記憶された携帯転送情報を確認する非応答転送確認ステップと、
前記非応答転送確認ステップにて確認された携帯転送情報が転送許可を示すと、前記固定電話機を介さずに、前記携帯電話機を前記発信端末機と接続する非応答確認携帯接続ステップと、
をさらに含む通信方法。
【請求項３３】
請求項３０ないし３２のいずれか１項に記載の通信方法において、
前記確認された携帯転送情報が転送不許可を示すと、前記発信端末機に、前記着信を要求された固定電話番号の固定電話機が使用できない旨を報知させる固定報知ステップ、
をさらに含む通信方法
【請求項３４】
請求項１ないし１５のいずれか１項に記載の電話交換機と、前記電話交換機と接続可能な携帯電話機と、前記携帯電話機と無線通信にて接続可能であり前記電話交換機と接続可能な固定電話機と、を含む通信システムが行なう通信方法であって、
前記携帯電話機が、前記電話交換機にてアクセスされると、前記無線通信を用いて接続可能か否かを確認するための確認情報を出力する出力ステップと、
前記固定電話機が、前記出力ステップにて出力された確認情報を受け付ける受付ステップと、
前記固定電話機が、前記受付ステップにて前記確認情報が受け付けられると、前記携帯電話機と前記固定電話機とを前記無線通信にて接続させる確認後接続ステップと、
を含む通信方法。
【請求項３５】
請求項３４に記載の通信方法において、
前記固定電話機は、圏内基準時間を記憶する固定記憶手段を、さらに含み、
前記固定電話機が、前記制御手段にて電話交換機とアクセスされてから前記圏内基準時間が経過するまでに前記確認情報が受け付けられたか否かを判断する無線判断ステップと、
前記電話交換機が、前記受け付けられた呼出要求が携帯電話番号への着信を要求しているときに、前記圏内基準時間が経過するまでに前記確認情報が受け付けられないと、前記固定電話機を介さずに、前記携帯電話機を前記発信端末機と接続する無線圏外接続ステップと、
をさらに含む通信方法。
【請求項３６】
請求項３５に記載の通信方法において、
前記電話交換機が、前記受け付けられた呼出要求が固定電話番号への着信を要求しているときに、前記応答基準時間が経過するまでに前記確認情報が受け付けられないと、前記携帯電話機を介さずに、前記固定電話機を前記発信端末機と接続する無線非確認接続ステップ
をさらに含む通信方法。
【発明の詳細な説明】
【技術分野】
【０００１】
本発明は、電話交換機、通信システムおよび通信方法に関し、特には、発信端末機が出力した携帯電話番号あるいは固定電話番号への着信を要求する旨の着信要求を受け付ける電話交換機、通信システムおよび通信方法に関する。
【背景技術】
【０００２】
近年、携帯電話機の普及により、家庭などで固定電話機および携帯電話機が両方使用される状況が一般的になっている。携帯電話機は、便利ではあるが、固定電話機に比べて着信時の呼び出しにユーザが気づきにくい、電力が消費しやすいなどの問題点があった。
【０００３】
特許文献１（特開２００５−３３６３５号公報）には、基地局と接続されている携帯電話機と有線電話網と接続されている固定電話機とが、近距離無線通信により接続可能な電話システムが記載されている。
【０００４】
この電話システムでは、基地局を介して携帯電話機が呼出要求を受け付けると、呼出要求を受け付けた旨の着信情報が、近距離無線通信にて固定電話機に出力される。固定電話機は、携帯電話機から着信情報を受け付けると、ユーザを呼び出す。その後、ユーザは、固定電話機と携帯電話機とのどちらか一方を使用して通話する。
【０００５】
これにより、ユーザが着信時の呼び出しを気づき易くすることが可能になる。
【特許文献１】特開２００５−３３６３５号公報
【発明の開示】
【発明が解決しようとする課題】
【０００６】
通常、携帯電話機は、通話時に基地局と通信を行なう。携帯電話機は、この通信にて電力を多く消費する。
【０００７】
特許文献１に記載の電話システムでは、固定電話機が携帯電話機を介して基地局と通信する場合、携帯電話機は基地局と通信する。したがって、携帯電話機の電力は、多く消費されてしまう。
【０００８】
本発明の目的は、通話中の携帯電話機の消費電力を軽減することが可能な電話交換機、通信システムおよび通信方法を提供することである。
【課題を解決するための手段】
【０００９】
前記目的を達成するために、本発明の電話交換機は、携帯電話機と、前記携帯電話機と接続可能な固定電話機と、前記携帯電話機の携帯電話番号または前記固定電話機の固定電話番号への着信を要求する旨の呼出要求を出力する発信端末機と、に接続可能な電話交換機であって、前記携帯電話番号と前記固定電話番号とを関連づけて記憶する記憶手段と、前記発信端末機から前記呼出要求を受け付ける入力手段と、前記入力手段が前記呼出要求を受け付けると、該呼出要求にて着信を要求された電話番号と関連づけられた電話番号を前記記憶手段から取得し、該取得された電話番号と該着信を要求された電話番号とを用いて前記携帯電話機と前記固定電話機にアクセスして該携帯電話機と該固定電話機とを接続させ、その後、該固定電話機を介して、前記携帯電話機と前記発信端末機とを接続する制御手段と、を含む、を含む。
【００１０】
また、本発明の通信方法は、携帯電話機の携帯電話番号と固定電話機の固定電話番号とを関連づけて記憶する記憶手段を含み、前記携帯電話機と、前記携帯電話機と接続可能な固定電話機と、前記携帯電話番号または前記固定電話番号への着信を要求する旨の呼出要求を出力する発信端末機と、に接続可能な電話交換機が行なう通信方法であって、前記発信端末機から前記呼出要求を受け付ける入力ステップと、前記入力ステップにて前記呼出要求が受け付けられると、該着信を要求された電話番号と関連づけられた電話番号を前記記憶手段から取得する取得ステップと、前記取得ステップにて取得された電話番号と該着信を要求された電話番号とを用いて前記携帯電話機と前記固定電話機にアクセスして該携帯電話機と該固定電話機とを接続させる携帯固定接続ステップと、前記固定電話機を介して、前記携帯電話機と前記発信端末機とを接続する接続ステップと、を含む。
【００１１】
上記の発明によれば、着信を要求された電話番号および該電話番号と関連づけられた電話番号が用いられて、固定電話機を介して、携帯電話機が発信端末機と接続される。これにより、携帯電話機を、無線基地局と接続せずに発信端末機と接続させることが可能になる。よって、通話中の携帯電話機の消費電力を軽減することが可能になる。
【００１２】
また、前記受け付けられた呼出要求が携帯電話番号への着信を要求すると、該呼出要求にて着信を要求された携帯電話番号と関連づけられた固定電話番号が取得され、該着信を要求された携帯電話番号の携帯電話機が呼び出され、その後、該携帯電話機から応答が受け付けられると、該取得された固定電話番号と該着信を要求された携帯電話番号とが用いられて前記携帯電話機と前記固定電話機とがアクセスされ該携帯電話機と該固定電話機とが接続されることが望ましい。
【００１３】
携帯電話機と固定電話機とが接続されると、携帯電話機は電力を消費する。上記の発明によれば、携帯電話機から応答が受け付けられた後に、携帯電話機と固定電話機とが接続される。したがって、常に、携帯電話機と固定電話機とを接続させなくてもよいため、携帯電話機の消費電力を軽減することが可能になる。
【００１４】
また、前記携帯電話機から応答が受け付けられると、前記取得された固定電話番号の固定電話機が使用中であるか否かが判断され、該固定電話機が使用中であると、前記固定電話機を介さずに、前記携帯電話機が前記発信端末機に接続されることが望ましい。
【００１５】
固定電話機が使用中であると、携帯電話機は、固定電話機を介して発信端末機と接続できない可能性がある。上記発明によれば、固定電話機が使用中であると、携帯電話機と発信端末機が接続される。これにより、固定電話機が使用中でも、携帯電話機を発信端末機と接続することが可能になる。
【００１６】
また、応答基準時間がさらに記憶され、前記携帯電話機が呼び出されてから前記応答基準時間が経過するまでに前記携帯電話機から前記応答が受け付けられたか否かが判断され、前記応答基準時間が経過するまでに前記携帯電話機から前記応答が受け付けられないと、前記携帯電話機を介さずに、前記固定電話機が前記発信端末機と接続されることが望ましい。
【００１７】
上記の発明によれば、携帯電話機から応答が受け付けられないと、取得された固定電話番号の固定電話機が発信端末機と接続される。したがって、携帯電話機の呼び出しにユーザが気づかないなどで、携帯電話機でユーザが応答できなくても、ユーザは固定電話機を用いて発信端末機と通話することが可能になる。
【００１８】
また、前記携帯電話機は、無線基地局を介して前記電話交換機と接続可能であり、前記着信を要求された携帯電話番号の携帯電話機が前記無線基地局の通信圏内にあるか否かが判断され、該携帯電話機が前記無線基地局の通信圏外にあると、前記携帯電話機を介さずに、前記固定電話機が前記発信端末機と接続されることが望ましい。
【００１９】
上記の発明によれば、携帯電話機が無線基地局の通信圏外にあると、取得された固定電話番号の固定電話機がユーザを呼び出す。したがって、携帯電話機が無線基地局の通信圏外でも、ユーザは固定電話機を用いて発信端末機と通話することが可能になる。
【００２０】
また、互いに関連づけられた携帯電話番号および固定電話番号に、該携帯電話番号への着信を要求する着信要求の該固定電話番号への転送を許可するか否かを示す固定転送情報を、さらに関連づけられて記憶され、前記応答基準時間が経過するまで前記携帯電話機から前記応答が受け付けられないと、前記着信を要求された携帯電話番号と関連づけられて記憶された固定転送情報が確認され、前記確認された固定転送情報が転送許可を示すと、前記携帯電話機を介さずに、前記固定電話機が前記発信端末機と接続されることが望ましい。
【００２１】
上記の発明によれば、携帯電話機から応答が受け付けられず、固定転送情報が転送許可を示すと、固定電話機が発信端末機と接続される。したがって、ユーザが転送を許可する場合に、ユーザは固定電話機を用いて発信端末機と通話することが可能になる。このため、ユーザに細やかなサービスを提供することが可能になる。
【００２２】
また、前記携帯電話機が前記無線基地局の通信圏外にあると、前記着信を要求する携帯電話番号と関連づけられて記憶された固定転送情報が確認され、前記確認された固定転送情報が転送許可を示すと、前記携帯電話機を介さずに、前記固定電話機が前記発信端末機と接続されることが望ましい。
【００２３】
上記の発明によれば、携帯電話機が基地局の通信圏外にあり、固定転送情報が転送許可を示すと、固定電話機が発信端末機と接続される。したがって、ユーザが転送を許可する場合に、ユーザは固定電話機を用いて発信端末機と通話することが可能になる。このため、ユーザに細やかなサービスを提供することが可能になる。
【００２４】
また、前記確認された固定転送情報が転送不許可を示すと、前記発信端末機にて、前記呼出要求が着信を要求する携帯電話番号の携帯電話機が使用できない旨が報知されることが望ましい。
【００２５】
上記の発明によれば、確認された固定転送情報が転送不許可を示すと携帯電話機が使用できない旨が発信端末機にて報知される。これにより、発信端末機のユーザが、携帯電話機が使用できないことを知ることが可能になる。
【００２６】
また、前記受け付けられた呼出要求が固定電話番号への着信を要求すると、該着信要求にて着信を要求された固定電話番号と関連づけられた携帯電話番号が前記記憶手段から取得され、その後、該着信を要求された固定電話番号の固定電話機が使用中か否かが確認され、該固定電話機が使用中であると、前記固定電話機を介さずに、前記携帯電話機が前記発信端末機と接続されることが望ましい。
【００２７】
上記の発明によれば、着信を要求された固定電話番号の固定電話機が使用中であると、携帯電話機が発信端末機と接続される。したがって、着信を要求された固定電話機が使用中でも、ユーザは携帯電話機を用いて発信端末機と通話することが可能になる。
【００２８】
また、前記携帯電話番号が取得されると、前記着信を要求された固定電話機が呼び出され、その後、前記応答基準時間が経過するまでに前記固定電話機から前記応答が受け付けられたか否かが判断され、前記応答基準時間が経過するまでに前記固定電話機から前記応答が受け付けられないと、前記固定電話機を介さずに、前記携帯定電話機が前記発信端末機と接続されることが望ましい。
【００２９】
上記の発明によれば、固定電話機から応答を受け付けられないと、取得された携帯電話番号の携帯電話機が発信端末機と接続される。したがって、ユーザが固定電話機で応答できなくても、ユーザは携帯電話機を用いて発信端末機と通話することが可能になる。
【００３０】
また、互いに関連づけられた携帯電話番号および固定電話番号に、該固定電話番号の固定電話機から該携帯電話番号の携帯電話機へ呼び出しの転送を許可するか否かを示す携帯転送情報が、さらに関連づけられて記憶され、前記着信を要求された固定電話番号の固定電話機が使用中であると、前記着信を要求された固定電話番号と関連づけられて記憶された携帯転送情報が確認され、前記確認された携帯転送情報が転送許可を示すと、前記携帯電話機を介さずに、前記携帯電話機が前記発信端末機と接続されることが望ましい。
【００３１】
上記の発明によれば、固定電話機が使用中であり、携帯転送情報が転送許可を示すと、携帯電話機が発信端末機と接続される。したがって、ユーザが転送を許可する場合に、ユーザは携帯電話機を用いて発信端末機と通話することが可能になる。よって、ユーザに細やかなサービスを提供することが可能になる。
【００３２】
また、前記応答基準時間が経過するまでに前記固定電話機から前記応答が受け付けられないと、前記着信を要求された固定電話番号と関連づけられて記憶された携帯転送情報が確認され、前記確認された携帯転送情報が転送許可を示すと、前記固定電話機を介さずに、前記携帯電話機が前記発信端末機と接続されることが望ましい。
【００３３】
上記の発明によれば、固定電話機が応答されず、携帯転送情報が転送許可を示すと、携帯電話機が発信端末機と接続される。したがって、ユーザが転送を許可する場合に、ユーザは携帯電話機を用いて発信端末機と通話することが可能になる。よって、ユーザに細やかなサービスを提供することが可能になる。
【００３４】
また、前記携帯転送情報が転送不許可を示すと、前記発信端末機にて、前記呼出要求にて着信を要求される固定電話番号の固定電話機が使用できない状態にある旨が報知されることが望ましい。
【００３５】
上記の発明によれば、携帯転送情報が転送不許可を示すと固定電話機が使用できない旨が発信端末機にて報知される。これにより、発信端末機のユーザが、固定電話機が使用できないことを知ることが可能になる。
【００３６】
また、本発明の通信システムは、前記電話交換機と、前記電話交換機と接続可能な携帯電話機と、前記携帯電話機と無線通信にて接続可能であり前記電話交換機と接続可能な固定電話機と、を含む通信システムであって、前記携帯電話機は、前記制御手段にてアクセスされると、前記無線通信を用いて接続可能か否かを確認するための確認情報を出力する携帯制御手段、を含み、前記固定電話機は、前記携帯制御手段が出力した確認情報を受け付ける無線手段と、前記無線手段が前記確認情報を受け付けると、前記携帯電話機と前記固定電話機とを前記無線通信にて接続させる固定制御手段と、を含む。
【００３７】
また、本発明の通信方法は、電話交換機と、前記電話交換機と接続可能な携帯電話機と、前記携帯電話機と無線通信にて接続可能であり前記電話交換機と接続可能な固定電話機と、を含む通信システムが行なう通信方法であって、前記携帯電話機が、前記電話交換機にてアクセスされると、前記無線通信を用いて接続可能か否かを確認するための確認情報を出力する出力ステップと、前記固定電話機が、前記出力ステップにて出力された確認情報を受け付ける受付ステップと、前記固定電話機が、前記受付ステップにて前記確認情報が受け付けられると、前記携帯電話機と前記固定電話機とを前記無線通信にて接続させる確認後接続ステップと、を含む。
【００３８】
一般的に、無線通信では、移動端末機がホストに確認情報を一定の時間間隔で出力し、ホストが確認情報を受け付けることで、移動端末機が接続可能か否かを判断している。移動端末機は、一定の時間間隔で確認情報を出力すると、電力を消費する。
【００３９】
上記の発明によれば、携帯電話機が電話交換機からアクセスされると、確認情報が出力される。固定電話機がその確認情報を受け付けると、携帯電話機と固定電話機とが接続される。したがって、携帯電話機が一定の時間間隔で確認情報を出力しなくても、固定電話機と携帯電話機とを接続させることが可能になるため、携帯電話機の消費電力を軽減することが可能になる。
【００４０】
また、圏内基準時間が記憶され、電話交換機とアクセスされてから前記圏内基準時間が経過するまでに前記確認情報が受け付けられたか否かが判断され、前記受け付けられた呼出要求が携帯電話番号への着信を要求しているときに、前記圏内基準時間が経過するまでに前記確認情報が受け付けられないと、前記固定電話機を介さずに、前記携帯電話機が前記発信端末機と接続される。
【００４１】
上記の発明によれば、受け付けられた呼出要求が携帯電話番号への着信を要求しているときに、圏内基準時間が経過するまでに確認情報が受け付けられないと、携帯電話機が発信端末機と接続される。したがって、携帯電話機が固定電話機の通信圏外にある場合でも、携帯電話機を発信端末機と接続することが可能になる。
【００４２】
また、呼出要求が固定電話番号への着信を要求しているときに、前記応答基準時間が経過するまでに前記確認情報が受け付けられないと、前記携帯電話機を介さずに、前記固定電話機が前記発信端末機と接続されることが望ましい。
【００４３】
上記の発明によれば、携帯電話機が固定電話機の通信圏外にある場合でも、固定電話機を発信端末機と接続することが可能になる。
【発明の効果】
【００４４】
本発明によれば、通話中の携帯電話機の消費電力を軽減することが可能になる。
【発明を実施するための最良の形態】
【００４５】
以下、本発明の実施例について図面を参照して説明する。
【００４６】
図１は、本発明の一実施例の通信システムの構成を示したブロック図である。
【００４７】
図１において、通信システムは、携帯電話機１０と、固定電話機２０と、基地局３０と、移動通信制御局４０と、送信端末機５０と、ネットワーク網６０と、有線電話網７０とを含む。なお、携帯電話機１０および固定電話機２０の数は、図１ではそれぞれ１だが、実際には複数ある。
【００４８】
移動通信制御局４０は、ネットワーク網６０および基地局３０を介して携帯電話機１０と相互に接続する。なお、携帯電話機１０と基地局３０とは、無線にて相互に接続される。
【００４９】
また、移動通信制御局４０は、ネットワーク網６０および有線電話網７０を介して固定電話機２０と相互に接続する。
【００５０】
携帯電話機１０と固定電話機２０とは、例えば、無線ＬＡＮあるいはＢｌｕｅｔｏｏｔｈなど、近距離無線通信にて相互に接続される。
【００５１】
携帯電話機１０は、基地局無線部１１と、固定無線部１２と、携帯制御部１３と、携帯報知部１４と、携帯操作部１５とを含む。
【００５２】
固定電話機２０は、接続部２１と、無線部２２と、固定制御部２３と、固定報知部２４と、固定操作部２５とを含む。
【００５３】
固定無線部１２と無線部２２とは、近距離無線通信にて相互に接続される。
【００５４】
基地局無線部１１と基地局３０とは、無線にて相互に接続される。
【００５５】
接続部２１は、有線電話網７０と相互に接続される。
【００５６】
送信端末機５０は、携帯電話機あるいは固定電話機であり、自己のユーザ（以下では、送信者と呼ぶ）から電話番号を受け付ける。
【００５７】
なお、電話番号には、携帯電話機の携帯電話番号と、固定電話機の固定電話番号とがある。
【００５８】
送信端末機５０は、端末操作部５１と、端末制御部５２と、端末入出力部５３と、端末報知部５４とを含む。
【００５９】
端末操作部５１は、送信者から電話番号を受け付けると、受け付けた電話番号を端末制御部５２に出力する。
【００６０】
端末制御部５２は、端末操作部５１から電話番号を受け付けると、受け付けた電話番号への着信を要求する旨の着信要求を、端末入出力部５３およびネットワーク網６０を介して移動通信制御局４０（具体的には、入出力部４３）に出力する。
【００６１】
移動通信制御局４０は、制御部４１と、記憶部４２と、入出力部４３とを含む。
【００６２】
記憶部４２は、携帯電話番号と、該携帯電話番号の携帯電話機と近距離無線通信にて接続可能な固定電話番号と、該携帯電話番号から該固定電話機へ着信要求の転送を許可するか否かを示す固定転送情報と、該固定電話番号から該携帯電話機へ着信要求の転送を許可するか否かを示す携帯転送情報と、を携帯電話番号ごとに関連づけた顧客情報を記憶する。
【００６３】
なお、顧客情報は、固定電話番号に複数の携帯電話番号を関連づけても良い。
【００６４】
図２は、顧客情報の一例を示した例示図である。図２において、顧客情報２００は、携帯電話番号２０１と、固定電話番号２０２と、固定転送情報２０３と、携帯転送情報２０４を含む。
【００６５】
携帯電話番号２０１は、携帯電話機の電話番号である。
【００６６】
固定電話番号２０２は、携帯電話番号２０１の携帯電話機と近距離無線通信にて相互に接続可能な固定電話機の電話番号である。
【００６７】
固定転送情報２０３は、該携帯電話番号から該固定電話機へ着信要求の転送を許可するか否かを示す。
【００６８】
携帯転送情報２０４は、該固定電話番号から該携帯電話機へ着信要求の転送を許可するか否かを示す。
【００６９】
なお、固定転送情報２０３および携帯転送情報２０４は、転送を許可すると「ＹＥＳ」を示し、転送を許可しないと「ＮＯ」を示す。
【００７０】
また、記憶部４２は、応答基準時間を記憶する。
【００７１】
入出力部４３は、端末制御部５２から呼出要求を受け付けると、受け付けた呼出要求を制御部４１に出力する。制御部４１は、入出力部４３から呼出要求を受け付ける。
【００７２】
以下では、先ず、入出力部４３にて受け付けられた呼出要求が携帯電話番号への着信を要求する場合を説明し、次に、入出力部４３にて受け付けられた呼出要求が固定電話番号への着信を要求する場合を説明する。
【００７３】
入出力部４３にて受け付けられた呼出要求が携帯電話番への着信を要求すると、制御部４１は、受け付けた呼出要求が着信を要求する携帯電話番号と関連づけられた固定電話番号を記憶部４２から取得する。
【００７４】
制御部４１は、記憶部４２から固定電話番号を取得すると、受け付けた着信要求にて着信を要求された携帯電話番号の携帯電話機（以下では、携帯電話機１０とする）が基地局３０の通信圏内にあるか否かを確認する。
【００７５】
携帯電話機１０が基地局３０通信圏内にあると、制御部４１は、携帯電話機１０を呼び出す。
【００７６】
具体的には、制御部４１は、受け付けた呼出要求を、入出力部４３、ネットワーク網６０、基地局３０および基地局無線部１１を介して携帯制御部１３に出力する。携帯制御部１３は、基地局無線部１１から呼出要求を受け付けると、携帯報知部１４にユーザを呼び出させる。
【００７７】
携帯操作部１５は、呼び出しの応答を示す携帯応答情報をユーザから受け付けると、受け付けた携帯応答情報を携帯制御部１３に出力する。携帯制御部１３は、携帯操作部１５から携帯応答情報を受け付けると、受け付けた携帯応答情報を、基地局無線部１１、基地局３０、ネットワーク網６０および入出力部４３を介して制御部４１に出力する。
【００７８】
制御部４１は、携帯電話機１０を呼び出すと、記憶部４２に記憶された応答基準時間を確認し、確認した応答基準時間が経過するまでに携帯電話機１０（具体的には、携帯制御部１３）から携帯応答情報を受け付けたか否かを確認する。
【００７９】
制御部４１は、携帯制御部１３から携帯応答情報を受け付けると、取得した固定電話番号の固定電話機（以下では、固定電話機２０とする）が使用中か否かを確認する。
【００８０】
固定電話機２０が使用中であると、制御部４１は、携帯電話機１０と送信端末機５０とを、基地局３０およびネットワーク網６０を介して接続する。具体的には、制御部４１は、携帯制御部１３と端末制御部５２とを、基地局無線部１１、基地局３０、ネットワーク網６０および端末入出力部５３を介して接続する。
【００８１】
一方、固定電話機２０が使用中でないと、制御部４１は、入出力部４３、ネットワーク網６０、有線電話網７０および接続部２１を介して固定制御部２３とアクセスすると共に、入出力部４３、ネットワーク網６０、基地局３０および基地局無線部１１を介して携帯制御部１３にアクセスする。
【００８２】
制御部４１は、携帯制御部１３にアクセスすると、携帯電話機１０に、固定電話機２０と近距離無線通信を開始させる。
【００８３】
具体的には、先ず、制御部４１は、携帯制御部１３にアクセスすると、近距離無線通信を開始させる旨の開始要求を、入出力部４３、ネットワーク網６０、基地局３０および基地局無線部１１を介して携帯制御部１３に出力する。
【００８４】
次に、携帯制御部１３は、制御部４１から開始要求を受け付けると、近距離無線通信にて固定電話機２０と接続可能か否かを確認するための確認情報を、固定無線部１２を介して無線部２２に出力する。無線部２２は、固定制御部２３から確認情報を受け付けると、受け付けた確認情報を固定制御部２３に出力する。
【００８５】
また、制御部４１は、固定制御部２３にアクセスすると、固定制御部２３に携帯電話機１０が近距離無線通信の通信圏内にあるか否かを判断させる。
【００８６】
具体的には、先ず、制御部４１は、固定制御部２３にアクセスすると、携帯電話機１０が近距離無線通信の通信圏内にあるか否かを判断する旨の判断要求を出力する。
【００８７】
次に、固定制御部２３は、制御部４１から判断要求を受け付けると、携帯電話機１０が近距離無線通信の通信圏内にあるか否かを判断する。
【００８８】
さらに言えば、先ず、固定記憶部２６は、圏内基準時間を記憶する。
【００８９】
次に、固定制御部２３は、制御部４１から判断要求を受け付けると、固定記憶部２６に記憶された圏内基準時間を確認する。固定制御部２３は、圏内基準時間を確認すると、確認した圏内基準時間が経過するまでに確認情報を受け付けたか否かを判断する。
【００９０】
固定制御部２３は、確認した圏内基準時間が経過するまでに確認情報を受け付けると、携帯電話機１０が近距離無線通信の通信圏内にあると判断し、確確認した圏内基準時間が経過するまでに確認情報を受け付けないと、携帯電話機１０が近距離無線通信の通信圏内にないと判断する。
【００９１】
携帯電話機１０が近距離無線通信の通信圏内にないと、固定制御部２３は、携帯電話機１０が近距離無線通信の通信圏内にない旨の非圏内情報を、接続部２１、有線電話網７０、ネットワーク網６０および入出力部４３を介して制御部４１に出力する。
【００９２】
制御部４１は、固定制御部２３から非圏内情報を受け付けると、携帯電話機１０と送信端末機５０とを、基地局３０およびネットワーク網６０を介して接続する。具体的には、制御部４１は、携帯制御部１３と端末制御部５２とを、基地局無線部１１、基地局３０、ネットワーク網６０および端末入出力部５２を介して接続する。
【００９３】
一方、携帯電話機１０が近距離無線通信の通信圏内にあると、固定制御部２３は、無線部２２および固定無線部１２を介して携帯制御部１３と接続する。
【００９４】
固定制御部２３が携帯制御部１３と接続されると、携帯制御部１３は、呼出要求を受け付けた旨の着信情報を、固定無線部２２を介して無線部２２に出力する。無線部２２は、固定無線部１２から着信情報を受け付け、受け付けた着信情報を固定制御部２３に出力する。
【００９５】
固定制御部２３は、無線部２２から着信情報を受け付けると、携帯電話機１０が固定電話機２０の通信圏内に所在する旨の圏内情報を、接続部２１、有線電話網７０、ネットワーク網６０および入出力部４３を介して制御部４１に出力する。
【００９６】
制御部４１は、固定制御部２３から圏内情報を受け付けると、送信端末装置５０と携帯電話機１０とを、ネットワーク網６０、有線電話網７０および固定電話機２０を介して接続する。
【００９７】
具体的には、端末制御部５２と携帯制御部１３とを、端末入出力部５３、ネットワーク網６０、有線電話網７０、接続部２１、固定制御部２３、無線部２２および固定無線部１２を介して接続する。
【００９８】
携帯電話機１０が基地局の通信圏内にない、あるいは、応答基準時間が経過するまでに携帯電話機１０から携帯応答情報が受け付けられないと、制御部４１は、受け付けた呼出要求にて着信を要求された携帯電話番号と関連づけられて記憶部４２に記憶された固定転送情報を確認する。
【００９９】
確認された固定転送情報が転送許可を示すと、制御部４１は、固定電話機２０を呼び出す。
【０１００】
具体的には、制御部４１は、受け付けた呼出要求を、入出力部４３、ネットワーク網６０、有線電話網７０および接続部２１を介して固定制御部２３に出力する。固定制御部２３は、制御部４１から呼出要求を受け付けると、固定報知部２４にユーザを呼び出させる。
【０１０１】
固定操作部２５は、呼び出しの応答を示す固定応答情報をユーザから受け付けると、受け付けた固定応答情報を固定制御部２３に出力する。固定制御部２３は、固定操作部２５から固定応答情報を受け付けると、受け付けた固定応答情報を、接続部２１、有線電話網７０、ネットワーク網６０および入出力部４３を介して制御部４１に出力する。
【０１０２】
制御部４１は、固定制御部２３から固定応答情報を受け付けると、固定電話機２０と送信端末機５０とを、有線電話網７０およびネットワーク網６０を介して接続する。具体的には、制御部４１は、固定制御部２３と端末制御部５２とを、接続部２１、有線電話網７０、ネットワーク網６０および端末入出力部５３を介して接続する。
【０１０３】
一方、確認された固定転送情報が転送許可を示さないと、制御部４１は、送信端末機５０に、携帯電話機１０および固定電話機２０が使用できない旨を報知させる。
【０１０４】
具体的には、確認された固定転送情報が転送許可を示さないと、制御部４１は、携帯電話機１０および固定電話機２０が使用できない旨の使用不可情報を、入出力部４３、ネットワーク網６０および端末入出力部５３を介して端末制御部５２に出力する。
【０１０５】
端末制御部５２は、制御部４１から使用不可情報を受け付けると、端末報知部５４に携帯電話機１０および固定電話機２０が使用できない旨を報知させる。
【０１０６】
次に、入出力部４３が受け付けた呼出要求が固定電話番号への着信を示す場合について説明する。なお、以下では、入出力部４３が受け付けた呼出要求が携帯電話番号への着信を示す場合と異なる処理について主に説明する。
【０１０７】
制御部４１は、入出力部４３から呼出要求を受け付けると、受け付けた呼出要求にて着信が要求される固定電話番号と関連づけられた携帯電話番号を記憶部４２から取得する。
【０１０８】
制御部４１は、記憶部４２から携帯電話番号を取得すると、受け付けた呼出要求にて着信を要求された固定電話番号の固定電話機（以下では、固定電話機２０とする）が使用中か否かを確認する。
【０１０９】
固定電話機２０が使用中でないと、制御部４１は、入出力部４３、ネットワーク網６０、有線電話網７０および接続部２１を介して固定制御部２３とアクセスすると共に、入出力部４３、ネットワーク網６０、基地局３０および基地局無線部１１を介して携帯制御部１３にアクセスする。
【０１１０】
制御部４１は、携帯制御部１３にアクセスすると、携帯電話機１０に、固定電話機２０と近距離無線通信を開始させる。
【０１１１】
制御部４１は、固定制御部２３にアクセスすると、固定制御部２３に携帯電話機１０が近距離無線通信の通信圏内にあるか否かを判断させるとともに、固定電話機２０、あるいは、携帯電話機１０および固定電話機２０を呼び出す。
【０１１２】
携帯電話機１０が近距離無線通信の通信圏内にあると、固定制御部２３は、固定報知部２４にユーザを呼び出させるとともに、携帯電話機１０を呼び出す。
【０１１３】
一方、携帯電話機１０が近距離無線通信の通信圏内にないと、固定制御部２３は、固定報知部２４にユーザを呼び出させる。
【０１１４】
固定操作部２５は、ユーザから固定応答情報を受け付けると、受け付けた固定応答情報を固定制御部２３に出力する。
【０１１５】
携帯操作部１５は、ユーザから携帯応答情報を受け付けると、受け付けた携帯応答情報を携帯制御部１３に出力する。携帯制御部１３は、携帯操作部１５から携帯応答情報を受け付けると、受け付けた携帯応答情報を、固定無線部１２および無線部２２を介して固定制御部２３に出力する。
【０１１６】
固定制御部２３は、固定操作部２５から固定応答情報を受け付ける、あるいは、携帯制御部１３から携帯応答情報を受け付けると、受け付けた固定応答情報あるいは携帯応答情報を接続部２１、有線電話網７０、ネットワーク網６０および入出力部４３を介して制御部４１に出力する。
【０１１７】
制御部４１は、固定電話機２０、あるいは、携帯電話機１０および固定電話機２０を呼び出すと、記憶部４２に記憶された応答基準時間を確認する。
【０１１８】
制御部４１は、確認した応答基準時間が経過するまでに固定応答情報あるいは携帯応答情報を受け付けたか否かを判断する。
【０１１９】
制御部４１は、確認した応答基準時間が経過するまでに携帯応答情報を受け付けると、送信端末機５０と固定電話機２０とを、ネットワーク網６０および有線電話網７０を介して接続する。
【０１２０】
また、確認した応答基準時間が経過するまでに携帯応答情報を受け付けると、送信端末機５０と携帯電話機２０とを、ネットワーク網６０、有線電話網７０および固定電話機２０を介して接続する。
【０１２１】
一方、固定電話機２０が使用中、あるいは、確認した応答基準時間が経過するまでに固定応答情報あるいは携帯応答情報を受け付けないと、制御部４１は、受け付けた呼出要求にて着信を要求された固定電話番号と関連づけられて記憶部４２に記憶された携帯転送情報を確認する。
【０１２２】
確認された携帯転送情報が転送許可を示すと、制御部４１は、携帯電話機１０を呼び出す。
【０１２３】
その後、制御部４１は、携帯電話機１０から携帯応答情報を受け付けると、携帯電話機１０および送信端末機５０を、基地局３０およびネットワーク網６０を介して接続する。
【０１２４】
一方、確認された携帯転送情報が転送不許可を示すと、制御部４１は、送信端末機５０に、携帯電話機１０および固定電話機２０が使用できない旨を報知させる。
【０１２５】
次に動作を説明する。
【０１２６】
図３は、通信システムの動作を説明するためのフローチャートである。具体的には、図３は、送信端末機５０が携帯電話番号を受け付けた際に通信システムが行なう動作を説明するためのフローチャートである。
【０１２７】
端末操作部５１は、携帯電話番号を受け付けると、ステップ３０１を実行する。
【０１２８】
ステップ３０１では、端末操作部５１は、受け付けた携帯電話番号を端末制御部５２に出力する。
【０１２９】
端末制御部５２は、携帯電話番号を受け付けると、呼出要求を、端末入出力部５３、ネットワーク網６０および入出力部４３を介して制御部４１に出力する。制御部４１は、呼出要求を受け付けると、ステップ３０２を実行する。
【０１３０】
ステップ３０２では、制御部４１は、受け付けた呼出要求が着信を要求する携帯電話番号と関連づけられた固定電話番号を記憶部４２から取得する。制御部４１は、固定電話番号を取得すると、ステップ３０３を実行する。
【０１３１】
ステップ３０３では、制御部４１は、受け付けた呼出要求が着信を要求する携帯電話番号の携帯電話機１０が基地局３０の通信圏内にあるか否かを確認する。制御部４１は、携帯電話機１０がその通信圏内にあると、ステップ３０４を実行し、携帯電話機１０がその通信圏内にないと、ステップ３１３を実行する。
【０１３２】
ステップ３０４では、制御部４１は、携帯電話機１０を呼び出す。制御部４１は、ステップ３０４を終了すると、ステップ３０５を実行する。
【０１３３】
ステップ３０５では、制御部４１は、記憶部４２に記憶された応答基準時間を確認し、確認した応答基準時間が経過するまでに携帯応答情報を受け付けたか否かを判断する。制御部４１は、応答基準時間が経過するまでに携帯応答情報を受け付けると、ステップ３０６を実行し、応答基準時間が経過するまでに携帯応答情報を受け付ないと、ステップ３１３を実行する。
【０１３４】
ステップ３０６では、制御部４１は、取得した固定電話番号の固定電話機２０が使用中か否かを確認する。制御部４１は、固定電話機２０が使用中でないと、ステップ３０７を実行し、固定電話機２０が使用中であると、ステップ３１３を実行する。
【０１３５】
ステップ３０７では、制御部４１は、携帯制御部１３および固定制御部２３にアクセスする。制御部４１は、ステップ３０７を終了すると、ステップ３０８を実行する。
【０１３６】
ステップ３０８では、制御部４１は、固定制御部２３に、携帯電話機１０が近距離無線通信の通信圏内にあるか否かを判断させる。固定制御部２３は、携帯電話機１０がその通信圏内にあると、ステップ３０９を実行し、携帯電話機１０がその通信圏内にないと、ステップ３１１を実行する。
【０１３７】
ステップ３０９では、固定制御部２３は、無線部２２および固定無線部１２を介して携帯制御部１３と接続する。
【０１３８】
固定制御部２３が携帯制御部１３と接続されると、携帯制御部１３は、着信情報を、固定無線部２２および無線部２２を介して固定制御部２３に出力する。固定制御部２３は、着信情報を受け付けると、ステップ３１０を実行する。
【０１３９】
ステップ３１０では、固定制御部２３は、圏内情報を、接続部２１、有線電話網７０、ネットワーク網６０および入出力部４３を介して制御部４１に出力する。
【０１４０】
制御部４１は、圏内情報を受け付けると、送信端末機５０および固定電話機２０を、ネットワーク網６０および有線電話網７０を介して接続する。
【０１４１】
ステップ３１１では、固定制御部２３は、非圏内情報を、接続部２１、有線電話網７０、ネットワーク網６０および入出力部４３を介して制御部４１に出力する。制御部４１は、非圏内情報を受け付けると、ステップ３１２を実行する。
【０１４２】
ステップ３１２では、制御部４１は、携帯電話機１０と送信端末機５０とを、基地局３０およびネットワーク網６０を介して接続する。
【０１４３】
ステップ３１３では、制御部４１は、受け付けた着信要求にて着信を要求された携帯電話番号と関連づけられた固定転送情報を確認する。制御部４１は、その固定転送情報が転送許可を示すと、ステップ３１４を実行し、その固定転送情報が転送不許可を示すと、ステップ３１５を実行する。
【０１４４】
ステップ３１４では、制御部４１は、固定電話機２０を呼び出す。その後、制御部４１は、固定応答情報を受け付けると、制御部４１は、固定電話機２０および送信端末機５０を、有線電話網７０およびネットワーク網６０を介して接続する。
【０１４５】
ステップ３１５では、制御部４１は、送信端末機５０に、携帯電話機および固定電話機が使用できない旨を報知させる。
【０１４６】
図４は、通信システムの動作を説明するためのフローチャートである。具体的には、図４は、送信端末機５０が固定電話番号を受け付けた際に通信システムが行なう動作を説明するためのフローチャートである。
【０１４７】
端末操作部５１は、送信者から固定電話番号を受け付けると、ステップ４０１を実行する。
【０１４８】
ステップ４０１では、端末操作部５１は、受け付けた固定電話番号を端末制御部５２に出力する。
【０１４９】
端末制御部５２は、固定電話番号を受け付けると、呼出要求を、端末入出力部５３、ネットワーク網６０および入出力部４３を介して制御部４１に出力する。制御部４１は、呼出要求を受け付けると、ステップ４０２を実行する。
【０１５０】
ステップ４０２では、制御部４１は、受け付けた呼出要求にて着信が要求される固定電話番号と関連づけられた携帯電話番号を記憶部４２から取得する。制御部４１は、携帯電話番号を取得すると、ステップ４０３を実行する。
【０１５１】
ステップ４０３では、制御部４１は、受け付けた呼出要求にて着信を要求された固定電話番号の固定電話機２０が使用中か否かを確認する。制御部４１は、固定電話機２０が使用中でないと、ステップ４０４を実行し、固定電話機２０が使用中であると、ステップ４０７を実行する。
【０１５２】
ステップ４０４では、制御部４１は、携帯制御部１３および固定制御部２３にアクセスする。固定制御部２３は、ステップ４０４を終了すると、ステップ４０５を実行する。
【０１５３】
ステップ４０５では、固定制御部２３は、携帯電話機１０が近距離無線通信の通信圏内にあるか否かを判断する。固定制御部２３は、携帯電話機１０が近距離無線通信の通信圏内にあると、ステップ４０６を実行し、携帯電話機１０が近距離無線通信の通信圏内にないと、ステップ４０９を実行する。
【０１５４】
ステップ４０６では、固定制御部２３は、固定報知部２４にユーザを呼び出させるとともに、携帯電話機１０を呼び出す。固定制御部２３がステップ４０６を終了すると、制御部４１がステップ４０７を実行する。
【０１５５】
ステップ４０７では、制御部４１は、応答基準時間を確認し、確認した応答基準時間が経過するまでに携帯応答情報あるいは固定応答情報を受け付けたか否かを確認する。
【０１５６】
制御部４１は、その応答基準時間が経過するまでに携帯応答情報あるいは固定応答情報を受け付けると、ステップ４０８を実行し、その応答基準時間が経過するまでに携帯応答情報あるいは固定応答情報を受け付けないと、ステップ４１２を実行する。
【０１５７】
ステップ４０８では、制御部４１は、送信端末機５０と固定電話機２０とを、ネットワーク網６０および有線電話網７０を介して接続する。あるいは、制御部４１は、送信端末機５０と携帯電話機１０とを、ネットワーク網６０、有線電話網７０および固定電話機２０を介して接続する。
【０１５８】
具体的には、制御部４１は、固定応答情報を受け付けると、送信端末機５０と固定電話機２０とを、ネットワーク網６０および有線電話網７０を介して接続し、携帯応答情報を受け付けると、送信端末機５０と携帯電話機２０とを、ネットワーク網６０、有線電話網７０および固定電話機２０を介して接続する。
【０１５９】
ステップ４０９では、固定制御部２３は、固定報知部２４にユーザを呼び出させる。固定制御部２３が固定報知部２４にユーザを呼び出させると、ステップ４１０を実行する。
【０１６０】
ステップ４１０では、制御部４１は、応答基準時間を確認し、確認した応答基準時間が経過するまでに固定応答情報を受け付けたか否かを確認する。制御部４１は、その応答基準時間が経過するまでに固定応答情報を受け付けると、ステップ４１１を実行し、その応答基準時間が経過するまでに固定応答情報を受け付けないと、ステップ４１２を実行する。
【０１６１】
ステップ４０８では、制御部４１は、送信端末機５０と固定電話機２０とを、ネットワーク網６０および有線電話網７０を介して接続する。
【０１６２】
ステップ４１２では、制御部４１は、受け付けた着信要求にて着信を要求された固定電話番号と関連づけられた記憶部４２に記憶された携帯転送情報を確認する。制御部４１は、その携帯転送情報が転送許可を示すと、ステップ４１３を実行し、その携帯転送情報が転送許可を示さないと、ステップ４１４を実行する。
【０１６３】
ステップ４１３では、制御部４１は、携帯電話機１０を呼び出す。
【０１６４】
その後、制御部４１は、携帯応答情報を受け付けると、携帯電話機１０および送信端末機５０を、基地局３０およびネットワーク網６０を介して接続する。
【０１６５】
ステップ４１４では、制御部４１は、送信端末機５０に、携帯電話機１０および固定電話機２０が使用できない旨を報知させる。
【０１６６】
本実施例によれば、記憶部４２が携帯電話番号と固定電話番号とを関連づけて記憶する。入出力部４３が呼出要求を受け付けると、制御部４１が、該呼出要求にて着信を要求される電話番号と関連づけられた電話番号を取得し、該出要求にて着信を要求される電話番号と該取得された電話番号とを用いて携帯電話機１０および固定電話機２０にアクセスして、携帯電話機１０と固定電話機２０とを接続する。その後、制御部４１は、携帯電話機１０を、固定電話機２０を介して送信端末機５０に接続する。
【０１６７】
これにより、着信を要求された電話番号および該電話番号と関連づけられた電話番号が用いられて、固定電話機２０を介して、携帯電話機１０が送信端末機５０と接続される。これにより、携帯電話機１０を、基地局３０と接続せずに送信端末機５０と接続させることが可能になる。よって、通話中の携帯電話機１０の消費電力を軽減することが可能になる。
【０１６８】
また、本実施例では、入出力部４３が受け付けた呼出要求が携帯電話番号への着信を要求すると、制御部４１は、該呼出要求が着信を要求する携帯電話番号の携帯電話機１０を呼び出す。制御部４１は、携帯電話機１０から携帯応答情報を受け付けると、携帯電話機１０および固定電話機２０にアクセスして、携帯電話機１０と固定電話機２０とを接続する。
【０１６９】
携帯電話機１０と固定電話機２０とが接続されると、携帯電話機１０は電力を消費する。上記の発明によれば、携帯電話機１０から応答が受け付けられた後に、携帯電話機１０と固定電話機２０とが接続される。したがって、常に、携帯電話機１０と固定電話機２０とを接続させなくてもよいため、携帯電話機１０の消費電力を軽減することが可能になる。
【０１７０】
また、本実施例では、制御部４１は、取得した固定電話番号の固定電話機２０が使用中であると、固定電話機２０を介さずに、携帯電話機１０を発信端末機５０と接続する。
【０１７１】
固定電話機２０が使用中であると、携帯電話機１０は、固定電話機２０を介して送信端末機５０と接続できない可能性がある。本実施例では、固定電話機２０が使用中であると、携帯電話機１０と送信端末機５０が接続される。よって、固定電話機２０が使用中でも、携帯電話機１０を発信端末機と接続することが可能になる。
【０１７２】
また、本実施例では、記憶部４２は、応答基準時間を記憶する。制御部４１は、携帯電話機１０を呼び出すと、応答基準時間が経過するまでに携帯応答情報を受け付けたか否かを判断する。制御部４１は、応答基準時間が経過するまでに携帯電話機１０から携帯応答情報を受け付けないと、固定電話機２０を送信端末機５０と接続する。
【０１７３】
これにより、携帯電話機１０から携帯応答情報が受け付けられないと、取得された固定電話番号の固定電話機２０が発信端末機５０と接続される。したがって、携帯電話機１０の呼び出しにユーザが気づかないなどで、ユーザが携帯電話機１０で応答できなくても、ユーザは固定電話機２０を用いて発信端末機５０と通話することが可能になる。
【０１７４】
制御部４１は、固定電話番号を取得すると、携帯電話機１０が基地局３０の通信圏内にあるか否かを判断する。携帯電話機１０が基地局３０の通信圏内にあると、制御部４１は、携帯電話機１０を介さずに、固定電話機２０を送信端末機５０と接続する。
【０１７５】
これにより、携帯電話機１０が基地局３０の通信圏外にあると、固定電話機２０を送信端末機と接続する。したがって、携帯電話機１０が基地局３０の通信圏外でも、ユーザは固定電話機２０を用いて発信端末機５０と通話することが可能になる。
【０１７６】
また、本実施例では、記憶部４２は、携帯電話番号と固定電話番号と固定転送情報とを関連づけて記憶する。制御部４１は、応答基準時間が経過するまで携帯電話機から携帯応答情報を受け付けないと、入力部４３が受け付けた呼出要求が着信を要求する携帯電話番号と関連づけられた固定転送情報を確認する。その固定転送情報が転送許可を示すと、制御部４１は、取得した固定電話番号の固定電話機２０と送信端末機５０とを接続する。
【０１７７】
これにより、携帯電話機１０から携帯応答情報が受け付けられず、固定転送情報が転送許可を示すと、固定電話機２０が発信端末機５０と接続される。したがって、ユーザが転送を許可する場合に、ユーザは固定電話機２０を用いて送信端末機５０と通話することが可能になる。このため、ユーザに細やかなサービスを提供することが可能になる。
【０１７８】
また、本実施例では、携帯電話機１０が基地局３０の通信圏外にあると、制御部４１は、入力部４３が受け付けた呼出要求が着信を要求する携帯電話番号と関連づけられた固定転送情報を確認する。その固定転送情報が転送許可を示すと、制御部４１は、取得した固定電話番号の固定電話機２０と送信端末機５０とを接続する。
【０１７９】
これにより、携帯電話機１０が基地局３０の通信圏外にあり、固定転送情報が転送許可を示すと、固定電話機２０が発信端末機５０と接続される。したがって、ユーザが転送を許可する場合に、ユーザは固定電話機２０を用いて発信端末機５０と通話することが可能になる。このため、細やかなサービスを提供することが可能になる。
【０１８０】
また、本実施例では、制御部４１は、確認した固定転送情報が転送不許可を示すと、送信端末機５０に携帯電話機１０が使用できない旨を報知させる。
【０１８１】
これにより、発信端末機５０のユーザが、携帯電話機１０が使用できないことを知ることが可能になる。
【０１８２】
また、本実施例では、入出力部４３が受け付けた呼出要求が固定電話番号への着信を要求すると、制御部４１は、該固定電話番号と関連づけられた携帯電話番号を取得し、該固定電話番号の固定電話機２０が使用中か否かを確認する。固定電話機２０が使用中であると、制御部４１は、取得した携帯電話番号の携帯電話機１０と送信端末機５０とを接続する。
【０１８３】
これにより、着信を要求された固定電話番号の固定電話機２０が使用中であると、携帯電話機１０が発信端末機５０と接続される。したがって、着信を要求された固定電話機２０が使用中でも、ユーザは携帯電話機１０を用いて発信端末機５０と通話することが可能になる。
【０１８４】
また、本実施例では、制御部４１は、携帯電話番号を取得すると、応答基準時間が経過するまでに固定電話機２０から固定応答情報を受け付けたか否かを判断する。応答基準時間が経過するまでに固定電話機２０から固定応答情報を受け付けないと、制御部４１は、取得した携帯電話番号の携帯電話機１０を送信端末機５０に接続する。
【０１８５】
これにより、固定電話機２０から固定応答情報を受け付けられないと、取得された携帯電話番号の携帯電話機１０が発信端末機５０と接続される。したがって、ユーザが固定電話機２０で応答できなくても、ユーザは携帯電話機１０を用いて発信端末機５０と通話することが可能になる。
【０１８６】
また、記憶部４２は、携帯電話番号と固定電話番号と携帯転送情報とを関連づけて記憶する。入出力部４３が受け付けた着信要求にて着信を要求された固定電話番号の固定電話機２０が使用中であると、制御部４１は、記憶部４２に記憶された携帯転送情報を確認する。その携帯転送情報が転送許可を示すと、制御部４１は、取得した携帯電話番号の携帯電話機１０と送信端末機５０とを接続する。
【０１８７】
これにより、固定電話機２０が使用中であり、携帯転送情報が転送許可を示すと、携帯電話機１０が発信端末機５０と接続される。したがって、ユーザが転送を許可する場合に、ユーザは携帯電話機１０を用いて発信端末機５０と通話することが可能になる。よって、ユーザに細やかなサービスを提供することが可能になる。
【０１８８】
また、本実施例では、応答基準時間が経過するまでに固定電話機２０がユーザから応答されないと、制御部４１は、着信を要求された固定電話番号と関連づけられた携帯転送情報を確認する。その携帯転送情報が転送許可を示すと、制御部４１は、取得した携帯電話番号の携帯電話機１０と送信端末機５０とを接続する。
【０１８９】
これにより、固定電話機２０が応答されず、携帯転送情報が転送許可を示すと、携帯電話機１０が発信端末機５０と接続される。したがって、ユーザが転送を許可する場合に、ユーザは携帯電話機１０を用いて発信端末機５０と通話することが可能になる。よって、ユーザに細やかなサービスを提供することが可能になる。
【０１９０】
また、本実施例では、制御部４１は、確認した携帯転送情報が転送不許可を示すと、着信が要求される固定電話番号の固定電話機が、使用できない状態にある旨を送信端末機５０に報知させる。
【０１９１】
これにより、発信端末機のユーザが、固定電話機が使用できないことを知ることが可能になる。
【０１９２】
携帯制御部１３は、移動通信制御局４０からアクセスされると、近距離無線通信にて確認情報を出力する。無線部２２が確認情報を受け付けると、固定制御部２３は、携帯制御手段と接続する。
【０１９３】
一般的に、無線通信では、移動端末機がホストに確認情報を一定の時間間隔で出力し、ホストが確認情報を受け付けることで、移動端末機が接続可能か否かを判断している。移動端末機は、一定の時間間隔で確認情報を出力すると、電力を消費する。
【０１９４】
上記の発明によれば、携帯電話機１０が移動通信制御局４０からアクセスされると、確認情報が出力される。固定電話機２０がその確認情報を受け付けると、携帯電話機１０と固定電話機２０とが接続される。したがって、携帯電話機１０が一定の時間間隔で確認情報を出力しなくても、固定電話機２０と携帯電話機１０とを接続させることが可能になるため、携帯電話機１０の消費電力を軽減することが可能になる。
【０１９５】
また、本実施例では、固定記憶部２６は、圏内基準時間を記憶する。固定制御部２３は、移動通信制御局４０からアクセスされると、圏内基準時間を確認し、確認した圏内基準時間が経過するまでに確認情報を受け付けたか否かを判断する。圏内基準時間が経過するまでに確認情報が固定制御部２３にて受け付けられないと、制御部４１は、携帯電話機１０を送信端末機５０と接続する。
【０１９６】
これにより、受け付けられた呼出要求が携帯電話番号への着信を要求しているときに、圏内基準時間が経過するまでに確認情報が受け付けられないと、携帯電話機１０が送信端末機５０と接続される。したがって、携帯電話機１０が固定電話機２０の通信圏外にある場合でも、携帯電話機１０を送信端末機５０と接続することが可能になる。
【０１９７】
また、本実施例では、固定制御部２３は、移動通信制御局４０からアクセスされると、圏内基準時間を確認し、確認した圏内基準時間が経過するまでに確認情報を受け付けたか否かを判断する。入出力部４１が受け付けた呼出要求が固定電話番号への着信を要求しているときに、圏内基準時間が経過するまでに確認情報が固定制御部２３にて受け付けられないと、制御部４１は、携帯電話機１０を送信端末機５０と接続する。
【０１９８】
これにより、携帯電話機１０が固定電話機２０の通信圏外にある場合でも、固定電話機１０を発信端末機５０と接続することが可能になる。
【０１９９】
以上説明した実施例において、図示した構成は単なる一例であって、本発明はその構成に限定されるものではない。
【図面の簡単な説明】
【０２００】
【図１】本発明の一実施例の通信システムの構成を示したブロック図である。
【図２】顧客情報の一例を示した例示図である。
【図３】通信システムの動作を説明するためのフローチャートである。
【図４】通信システムの動作を説明するためのフローチャートである。
【符号の説明】
【０２０１】
１０      携帯電話機
１１      基地局無線部
１２      固定無線部
１３      携帯制御部
１４      携帯報知部
１５      携帯操作部
２０      固定電話機
２１      接続部
２２      無線部
２３      固定制御部
２４      固定報知部
２５      固定操作部
２６      固定記憶部
３０      基地局
４０      移動通信制御局
４１      制御部
４２      記憶部
４３      入出力部
５０      送信端末機
５１      端末操作部
５２      端末制御部
５３      端末入出力部
５４      端末報知部
６０      ネットワーク網
７０      有線電話網
【図１】
2007096778.tif 000003
【図２】
2007096778.tif 000004
【図３】
2007096778.tif 000005
【図４】
2007096778.tif 000006